(57)【要約】      （修正有）【課題】小さなアングルロータであってもその構成を容易に実現でき、また、サンプリングチューブの挿入及び抜き取り角度が鉛直に近いものとなり、その作業性が良好となる遠心機用アングルロータを提供する。【解決手段】底面２ａにモータシャフト挿入穴５を有する回転軸部２と、該回転軸部の周縁に一体的に突設されたすり鉢状のテーパ付き鍔部３と、該テーパ付き鍔部の周縁から斜め下方に向けて一体的に延設されたカバー部４とを有し、上記テーパ付き鍔部のテーパ面３ａに、長丸形状のチューブ保持穴６を、その長径６Ａをロータの半径方向に向けて貫通形成した遠心機用アングルロータ１とした。【選択図】図５
0003201755.tif 000002
【実用新案登録請求の範囲】
【請求項１】
長丸形状のチューブ保持穴を、その長径をロータの半径方向に向けて形成したことを特徴とする、遠心機用アングルロータ。
【請求項２】
上記長丸形状のチューブ保持穴を、その短径と長径との比（短径／長径）が０．７０〜０．９５の長丸形状の穴に形成したことを特徴とする、請求項１に記載の遠心機用アングルロータ。
【請求項３】
底面にモータシャフト挿入穴を有する回転軸部と、該回転軸部の周縁に一体的に突設されたすり鉢状のテーパ付き鍔部と、該テーパ付き鍔部の周縁から斜め下方に向けて一体的に延設されたカバー部とを有し、上記テーパ付き鍔部のテーパ面に、上記長丸形状のチューブ保持穴を貫通形成したことを特徴とする、請求項１又は２に記載の遠心機用アングルロータ。
【請求項４】
上記テーパ付き鍔部のテーパ面に形成された長丸形状のチューブ保持穴の上方周面を、テーパ面に対して９０度の角度で形成し、チューブ保持穴の下方周面を、テーパ面に対して９０度を超える鈍角の角度で形成したことを特徴とする、請求項３に記載の遠心機用アングルロータ。
【請求項５】
上記テーパ付き鍔部の周縁から斜め下方に向けて一体的に延設されたカバー部の内周面を、上記テーパ付き鍔部のテーパ面に対して９０度の角度で形成し、且つ、テーパ面に形成された上記チューブ保持穴の上方周面と同一面をなすように形成したことを特徴とする、請求項３又は４に記載の遠心機用アングルロータ。
【考案の詳細な説明】
【技術分野】
【０００１】
本考案は、遠心機において使用する、アングルロータに関するものである。
【背景技術】
【０００２】
遠心機に使用されるロータとしては、大別して「アングルロータ」と、「スイングロータ」と呼ばれる２種類のロータがある。アングルロータは、試料用容器をロータの回転軸に対して所要の角度、例えば４５度に保持するようにチューブ保持穴を設けたロータである。この種のロータでは、例えばポリプロピレン製のサンプリングチューブ（単に、チューブと言う場合もある）を使用して、遠心分離することが行われている。
【０００３】
サンプリングチューブ５０は、図６に示すように、円筒状の試料容器５１が底部先端にかけて略円錐状の形状をなし、該試料容器５１の上端部には遠心機用ロータに係止させるための周縁当接部５２と、該周縁当接部５２の内径部に嵌合し、試料の漏れを防止するための蓋５３とが一体的に設けられているのが一般的である。各社から販売されているサンプリングチューブは、蓋の外形寸法等詳細な寸法は異なっているが、概略同様の形状である。
【０００４】
そして、図７に示すように、サンプリングチューブ５０を使用するアングルロータ６０のチューブ保持穴６１の穴径Ｄ６１は、サンプリングチューブ５０の試料容器５１の円筒部外径Ｄ５１よりも僅かに広い径とし、試料容器５１の上端部の周縁当接部５２を、試料容器５１の外径Ｄ５１より大きな外径Ｄ５２を持つように構成し、該サンプリングチューブ５０の周縁当接部５２を、図８に示すように、アングルロータ６０のチューブ保持穴６１の開口周縁部（周縁係止部）６２に係止させる構造とするのが一般的である。
【０００５】
ところで、アングルロータに多数のサンプリングチューブを挿入したり、抜き取る場合に、サンプリングチューブの蓋を摘んで出し入れを行っている。この場合、遠心処理したサンプリングチューブをロータから抜き取る際、サンプリングチューブの蓋がロータの壁面に密着しているために摘みにくく、作業性が悪いと言う問題があった。特に、多数のサンプリングチューブを短い所定の時間内に遠心処理することが求められる研究や検査において、サンプリングチューブの抜き取りに要する時間が長くなることは、正確なデータを得る上でも問題があった。
【０００６】
そこで、上記のような問題を解決するため、特許文献１には、サンプリングチューブをロータのチューブ保持穴から抜き取る際に、容易にサンプリングチューブの蓋に指が掛かるように、ロータに形成されたチューブ保持穴の下側または上側の近傍に、チューブ抜き取り溝を、ロータの回転中心線と同心の円周に沿ってリング状に形成した、遠心機用アングルロータが提案されている。
【先行技術文献】
【特許文献】
【０００７】
【特許文献１】特開平８−３０９２３２号公報
【考案の概要】
【考案が解決しようとする課題】
【０００８】
しかしながら、上記した特許文献１に記載された構成のものにあっては、形成するリング状の溝は、指の先端を入れることが出来る程度の少なくとも１０ｍｍ程度幅を有する溝としなければならず、小さなアングルロータにあっては、その溝の形成部分を確保することが困難な場合があった。また、指が溝の存在によってサンプリングチューブの蓋に引っ掛かり易いものとなっていても、その引き抜き方向は、アングルロータに形成されたチューブ保持穴の角度、例えば４５度斜め上方であることから、決して抜き取り易い角度ではなかった。
【０００９】
本考案は、上記した背景技術が有する課題に鑑みなされたもので、その目的とするところは、小さなアングルロータであってもその構成を容易に実現でき、また、サンプリングチューブの挿入及び抜き取り角度が鉛直に近いものとなり、その作業性が良好となる遠心機用アングルロータを提案することにある。
【課題を解決するための手段】
【００１０】
上記した目的を達成するため、本考案は、次の〔１〕〜〔５〕に記載した遠心機用アングルロータとした。
〔１〕長丸形状のチューブ保持穴を、その長径をロータの半径方向に向けて形成したことを特徴とする、遠心機用アングルロータ。
〔２〕上記長丸形状のチューブ保持穴を、その短径と長径との比（短径／長径）が０．７０〜０．９５の長丸形状の穴に形成したことを特徴とする、上記〔１〕に記載の遠心機用アングルロータ。
〔３〕底面にモータシャフト挿入穴を有する回転軸部と、該回転軸部の周縁に一体的に突設されたすり鉢状のテーパ付き鍔部と、該テーパ付き鍔部の周縁から斜め下方に向けて一体的に延設されたカバー部とを有し、上記テーパ付き鍔部のテーパ面に、上記長丸形状のチューブ保持穴を貫通形成したことを特徴とする、上記〔１〕又は〔２〕に記載の遠心機用アングルロータ。
〔４〕上記テーパ付き鍔部のテーパ面に形成された長丸形状のチューブ保持穴の上方周面を、テーパ面に対して９０度の角度で形成し、チューブ保持穴の下方周面を、テーパ面に対して９０度を超える鈍角の角度で形成したことを特徴とする、上記〔３〕に記載の遠心機用アングルロータ。
〔５〕上記テーパ付き鍔部の周縁から斜め下方に向けて一体的に延設されたカバー部の内周面を、上記テーパ付き鍔部のテーパ面に対して９０度の角度で形成し、且つ、テーパ面に形成された上記チューブ保持穴の上方周面と同一面をなすように形成したことを特徴とする、上記〔３〕又は〔４〕に記載の遠心機用アングルロータ。
【考案の効果】
【００１１】
上記した本考案に係る遠心機用アングルロータによれば、長丸形状のチューブ保持穴を、その長径をロータの半径方向に向けて形成したものとしたので、該長丸形状のチューブ保持穴に挿入支持されるサンプリングチューブは、遠心機の停止時においては、その自重によって鉛直方向に立った状態で長丸形状のチューブ保持穴に支持されることとなる。そのため、そのサンプリングチューブの蓋を指で摘まむことは容易となり、また抜き取り方向も鉛直方向に近いものとなるので、その抜き取り作業性が良好なものとなる。また、従来は円形であったチューブ保持穴を、長丸形状に形成するのみであるので、小さなアングルロータであっても、その構成を容易に実現することができる。
【図面の簡単な説明】
【００１２】
【図１】本考案に係る遠心機用アングルロータの一実施形態を示した斜視図である。
【図２】図１に示した遠心機用アングルロータの平面図である。
【図３】図２のＸ−Ｘ線に沿う部分の断面図である。
【図４】図１に示した遠心機用アングルロータにサンプリングチューブを挿入支持させ、遠心機を稼働させた状態を示した断面図である。
【図５】図４の遠心機の停止時の状態を示した断面図である。
【図６】サンプリングチューブの一例を示した斜視図である。
【図７】従来の遠心機用アングルロータの半端面図である。
【図８】従来の遠心機用アングルロータにサンプリングチューブを挿入支持させた状態を示した半断面図である。
【考案を実施するための形態】
【００１３】
以下、本考案に係る遠心機用アングルロータの実施形態を、図面に基づいて詳細に説明する。
【００１４】
本考案に係る遠心機用アングルロータ（以下、単に「ロータ」と言う場合がある）１は、合成樹脂、例えばＡＢＳ樹脂、ＡＳ樹脂、ポリ塩化ビニル、ポリカーボネート等を材料として一体成形されており、回転軸部２と、テーパ付き鍔部３と、カバー部４とを有している。
【００１５】
ロータ１の回転軸部２は、図３に示したように円柱状に形成されており、その底面２ａにモータシャフト挿入穴５が形成されている。そして、モータシャフト挿入穴５に、図４に示したようにモータシャフト１０が挿入され、例えば、その挿入されたモータシャフトの頭部に設けたネジ部１０ａにナット１１を螺合することによって、ロータ１が図示しないモータに固定され、モータの回転がロータ１に伝達される。なお、回転軸部２の外径および高さは、遠心機用アングルロータ１を高速で回転させたときに、この回転軸部２の強度が保証される大きさに形成されている。
【００１６】
上記回転軸部２の周縁には、すり鉢状のテーパ付き鍔部３が一体的に突設されている。そして、このテーパ付き鍔部３のテーパ面３ａには、複数（図示した実施形態においては４個）のチューブ保持穴６が周方向に等間隔を開けて形成されている。テーパ面３ａは、例えば４５度の傾斜面に形成されており、該テーパ面３ａに形成されたチューブ保持穴６に、図４に示したようにサンプリングチューブ５０が挿入されて４５度の傾斜角度で保持され、遠心処理を施すアングルロータとして機能する。
【００１７】
上記テーパ面３ａに形成されたチューブ保持穴６は、図１，図２等に示したように長径６Ａをロータ１の半径方向に向けた長丸形状の穴に形成されている。長丸形状に形成されたチューブ保持穴６は、その短径６Ｂが、挿入されるサンプリングチューブ５０の試料容器５１の円筒部外径Ｄ５１よりも僅かに広く、試料容器５１の上端部の周縁当接部５２の外径Ｄ５２よりも僅かに狭く形成されている。また、その短径６Ｂと長径６Ａとの比（短径／長径）が、０．７０〜０．９５の長丸形状の穴、より好ましくは０．７５〜０．９０の長丸形状の穴に形成されている。さらには、チューブ保持穴６の上方周面６ａは、テーパ面３ａに対して９０度の角度で形成され、チューブ保持穴６の下方周面６ｂは、図３に示したように、テーパ面３ａに対して９０度を超える鈍角の鉛直方向に近い面に形成されている。なお、本明細書において言う上記長丸形状とは、途中に平行部を有しない楕円形状をも含む概念で使用している。
【００１８】
上記のようにチューブ保持穴６を長丸形状の穴に形成すること、さらにはチューブ保持穴６の下方周面６ｂを鉛直方向に近い面に形成することにより、遠心機が停止している状態においては、図５に示したように、挿入されたサンプリングチューブ５０が鉛直方向に立った状態でロータ１に支持されることとなり、そのサンプリングチューブ５０をロータ１のチューブ保持穴６から抜き取る際に、容易にサンプリングチューブの蓋５３に指が掛かり、また抜き方向も鉛直方向に近いものとなるので、その抜き取り作業が容易なものとなる。また、長丸形状のチューブ保持穴６を成形型によって形成する場合に、円形のチューブ保持穴を形成する場合には現れる型同士の合わせ面の段部が現れにくく、外観の良好なロータを作成することができる。
【００１９】
上記テーパ付き鍔部３の周縁から、斜め下方に向けて一体的にカバー部４が形成されている。そして、該カバー部４の内方に、ドーナツ状のサンプリングチューブの収納空間７が形成されている。カバー部４の少なくとも内周面４ａは、上記テーパ付き鍔部３のテーパ面３ａに対して９０度の角度で形成されており、且つ、テーパ面３ａに形成された上記チューブ保持穴６の上方周面６ａと同一面をなすように形成されている。これにより、図４に示したようにロータ１の稼働時において、チューブ保持穴６に挿入支持されたサンプリングチューブ５０がカバー部４の内周面４ａに当接し、安定した状態で遠心力が作用することとなる。
【００２０】
上記のように構成された本考案に係る遠心機用アングルロータ１は、長丸形状のチューブ保持穴６を、その長径６Ａをロータ１の半径方向に向けて形成したものとしたので、該長丸形状のチューブ保持穴６に挿入支持されるサンプリングチューブ５０は、遠心機の停止時においては、その自重によって鉛直方向に立った状態で長丸形状のチューブ保持穴６に支持されることとなる。そのため、そのサンプリングチューブの蓋５３を指で摘まむことは容易となり、また抜き取り方向も鉛直方向に近いものとなるので、その抜き取り作業性が良好なものとなる。また、従来は円形であったチューブ保持穴を、長丸形状に形成するのみであるので、小さなアングルロータであっても、その構成を容易に実現できるものとなる。
【００２１】
また、上記した実施形態の如く、ロータ１を合成樹脂を材料として一体成形されたものとし、その構成を、底面２ａにモータシャフト挿入穴５を有する回転軸部２と、該回転軸部２の周縁に一体的に突設されたすり鉢状のテーパ付き鍔部３と、該テーパ付き鍔部３の周縁から斜め下方に向けて一体的に延設されたカバー部４とを有し、上記テーパ付き鍔部３のテーパ面３ａに、長丸形状のチューブ保持穴６を貫通形成したものとした場合には、その重量が非常軽量な慣性モーメントの小さなロータとすることができ、加速、減速が短時間で行え、多くのサンプリングチューブを短時間で容易に遠心処理することができるロータとなる。
【００２２】
以上、本考案に係る遠心機用アングルロータの実施形態を説明したが、本考案は、何ら既述の実施形態に限定されるものではなく、種々の異なる態様で実施することは可能である。
例えば、上記実施形態においては、ロータ１を合成樹脂を材料として一体成形されたものにつき説明したが、ロータをアルミニウム合金などのブロックから切削加工により形成したものとしても良い。また、チューブ保持穴６は長丸形状のものであれば、その数また大きさは任意に形成することができ、また種々の大きさのチューブ保持穴６を、２段、３段に形成したものとしても良い。
【産業上の利用可能性】
【００２３】
本考案に係る遠心機用アングルロータは、サンプリングチューブの抜き取り作業性が良好なものとなるので、多数のサンプリングチューブを短い所定の時間内に遠心処理することが求められる研究や検査において、好適に利用することができる。
【符号の説明】
【００２４】
１    遠心機用アングルロータ
２    回転軸部
２ａ    回転軸部の底面
３    テーパ付き鍔部
３ａ    テーパ面
４    カバー部
４ａ    カバー部の内周面
５    モータシャフト挿入穴
６    長丸形状のチューブ保持穴
６Ａ    チューブ保持穴の長径
６Ｂ    チューブ保持穴の短径
６ａ    チューブ保持穴の上方周面
６ｂ    チューブ保持穴の下方周面
７    収納空間
１０    モータシャフト
１０ａ    ネジ部
１１    ナット
５０    サンプリングチューブ
５１    試料容器
５２    周縁当接部
５３    蓋
【図１】
0003201755.tif 000003
【図２】
0003201755.tif 000004
【図３】
0003201755.tif 000005
【図４】
0003201755.tif 000006
【図５】
0003201755.tif 000007
【図６】
0003201755.tif 000008
【図７】
0003201755.tif 000009
【図８】
0003201755.tif 000010